(57)【要約】【課題】  微量のサンプル量のみで、その中に含有される微量のタンパクを、高価な測定装置や設備を用いることなく、簡易、簡便かつ高感度で測定することができるタンパク測定器具及び測定方法を提供することを目的とする。【解決手段】  被検対象であるタンパクを吸着し得るフィルタ３と、前記タンパクに結合するハプテンを供給するためのハプテン収容部４と、前記タンパクに結合したハプテンに対して選択的に結合する発色物質で標識された抗体を供給するための抗体収容部５とを備え、フィルタ３が、ハプテン収容部４内のハプテンと接触することによりその表面で、予め吸着したタンパクにハプテンを結合させるか又はハプテン結合タンパクを吸着し、さらに抗体収容部５内の抗体と接触することによりタンパクの検出及び／又は定量を視覚的に行い得る膜からなるタンパク測定器具。【選択図】  図１
2005030939.tif 000002
【特許請求の範囲】
【請求項１】
被検対象であるタンパクを吸着し得るフィルタと、前記タンパクに結合するハプテンを供給するためのハプテン収容部と、前記タンパクに結合したハプテンに対して選択的に結合する発色物質で標識された抗体を供給するための抗体収容部とを備え、
前記フィルタが、前記ハプテン収容部内のハプテンと接触することによりその表面で、予め吸着したタンパクにハプテンを結合させるか又はハプテン結合タンパクを吸着し、さらに前記抗体収容部内の抗体と接触することによりタンパクの検出及び／又は定量を視覚的に行い得る膜からなることを特徴とするタンパク測定器具。
【請求項２】
ハプテンがジニトロベンゼンスルホン酸である請求項１に記載のタンパク測定器具。
【請求項３】
標識抗体が、金コロイド、セレン、着色ラテックス及び酵素からなる群から選択される１以上の物質によって標識化された抗体である請求項１又は２に記載のタンパク測定器具。
【請求項４】
ハプテン収容部に、ハプテンとともにタンパクが収容されてなる請求項１〜３のいずれか１つに記載のタンパク測定器具。
【請求項５】
ハプテン収容部が、少なくとも底面にハプテン含有溶液を通過させ得る微細な孔を有する膜を備えており、溶液状のハプテンを収容するか又は乾燥状態のハプテンを収容し測定時に溶媒を前記ハプテン収容部に添加して溶液状のハプテンを供給し得るように構成され、抗体収容部が、少なくとも底面に抗体含有溶液を通過させ得る微細な孔を有する膜を備えており、溶液状の抗体を収容するか又は乾燥状態の抗体を収容し測定時に溶媒を前記抗体収容部に添加して溶液状の抗体を供給し得るように構成されてなる請求項１〜４のいずれか１つに記載のタンパク測定器具。
【請求項６】
フィルタが第１プレートに形成された孔に装着され、ハプテン収容部及び抗体収容部が第２プレートに形成された別個の孔にそれぞれ形成され、前記第１プレートのフィルタに、前記第２プレートのハプテン収容部及び抗体収容部から溶液の供給が順次可能となるように構成されてなる請求項１〜５のいずれか１つに記載のタンパク測定器具。
【請求項７】
第２プレートに、さらに被検対象であるタンパクの溶液を供給するためのタンパク収容部が形成されてなる請求項１〜６のいずれか１つに記載のタンパク測定器具。
【請求項８】
さらに、ハプテン収容部及び抗体収容部からの溶液を、フィルタを介して吸収するための吸水パッドが備えられて構成される請求項１〜７に記載のタンパク測定器具。
【請求項９】
フィルタが短冊形状であり、かつ、ハプテン収容部に収容されたハプテン含有溶液とともにタンパクを含有する被検溶液の全量を吸収し得る大きさに形成されてなる請求項４に記載のタンパク測定器具。
【請求項１０】
タンパクを吸着し得るフィルタに、溶液に溶解又は分散された被検対象のタンパクを供給してその表面に該タンパクを吸着させる工程、
得られたフィルタに、前記タンパクに結合するハプテンを含有する溶液を供給することにより、前記フィルタに吸着されたタンパクにハプテンを結合させるとともに未反応のハプテンを前記タンパク周辺部から除去する工程、
得られたフィルタに、前記タンパクに結合したハプテンに対して選択的に結合する発色物質で標識された抗体を含有する溶液を供給することにより、前記ハプテンに抗体を結合させるとともに未反応の抗体を前記タンパク周辺部から除去する工程、
得られたフィルタの色調及び／又は着色面積によって視覚的にタンパクの検出及び／又は定量を行うことを特徴とするタンパク測定方法。
【請求項１１】
フィルタが、被検対象のタンパクを吸着するが、未反応のハプテン及び未反応の抗体を通過させる微細孔を有する膜によって構成される請求項１０に記載のタンパク測定方法。
【請求項１２】
フィルタが、短冊形状であり、未反応のハプテンを、該ハプテン含有溶液の溶媒によって、前記フィルタに吸着されたタンパク周辺部から押し退ける膜によって構成される請求項１０に記載のタンパク測定方法。
【発明の詳細な説明】
【技術分野】
【０００１】
本発明は、タンパク測定器具及びタンパク測定方法に関し、より詳細には、アレルゲンとして作用する生物由来の微量成分であるタンパクを、微量のサンプル量で、より簡易・簡便かつ感度よく検出及び／又は定量し得るタンパク測定器具及びタンパク測定方法に関する。
【背景技術】
【０００２】
タンパク質を検出、定量する方法としては従来から、紫外部吸収測定法（例えば、非特許文献１）、ビュレット法（例えば、非特許文献２）またはLowry法（例えば、非特許文献３）等が知られているが、いずれの方法も、多量の試料が必要であり、妨害物質の存在により測定不能となるなど、微量タンパク質を検出、定量する方法としては適していない。
また、ポリアクリルアミドゲル中などの微量タンパク質を検出する方法として、クーマシー・ブリリアント・ブルー等の色素を用いる微量定量法が提案されている（例えば、非特許文献４）。しかし、この方法でも、大量のサンプルが必要となる。
他に銀染色によるタンパク質の測定方法もあるが、これは再現性に乏しいという課題がある。
【非特許文献１】"Handbook of Biochemistry and Molecular Biology", Vol.2, Fasmann, G.D. ed.,CRC press, Ohio (1976), p383
【非特許文献２】Gornoll, A.G. et al., (1949) J.Biol.Chem.177,751
【非特許文献３】Lowry, O.H. et al., (1951): J.Biol.Chem.193, 265
【非特許文献４】Brambhal, S. et al., (1969): Anal. Biochem. 31,146
【特許文献１】特開２００２−２５０７２７号公報
【発明の開示】
【発明が解決しようとする課題】
【０００３】
一方、免疫測定法を用いたタンパクの検出及び定量方法が提案されている（例えば、特許文献１）。しかし、この方法では、電気泳動及びウェスタン・ブロッティング法の双方を用いているため、その操作及び測定が煩雑で、測定時間が６時間程度という長時間にわたるという課題もある。
【０００４】
例えば、家庭内掃除機の綿ごみ、空気清浄機又はエアコン等のフィルタについたゴミ中に含有されるアレルゲンとして作用する微量なタンパクを、その測定場所や設備を考慮することなく、簡易に測定することができれば便利である。また、このような場合、サンプルであるゴミを大量に用いず、１ｍｇ程度の微量で測定することができれば、より好都合である。
【０００５】
通常、家庭内での綿ゴミ等の１ｍｇに含有されるタンパク量は約１００〜５０００ｎｇ程度であるといわれている。
このようなことから、非常に少ないサンプル量で、簡易、簡便に微量のタンパクを測定し得る方法及び／又は装置・器具の開発が求められている。
【０００６】
本発明は、上記課題に鑑みなされたものであり、微量のサンプルを用いるのみで、その中に含有される微量のタンパクを、高価な測定装置や設備を用いることなく、簡易、簡便かつ高感度で測定することができるタンパク測定器具を提供することを目的とする。
【課題を解決するための手段】
【０００７】
本発明のタンパク測定器具は、被検対象であるタンパクを吸着し得るフィルタと、前記タンパクに結合するハプテンを供給するためのハプテン収容部と、前記タンパクに結合したハプテンに対して選択的に結合する発色物質で標識された抗体を供給するための抗体収容部とを備え、
前記フィルタが、前記ハプテン収容部内のハプテンと接触することによりその表面で、予め吸着したタンパクにハプテンを結合させるか又はハプテン結合タンパクを吸着し、さらに前記抗体収容部内の抗体と接触することによりタンパクの検出及び／又は定量を視覚的に行い得る膜からなることを特徴とする。
【０００８】
また、本発明のタンパク測定方法は、タンパクを吸着し得るフィルタに、溶液に溶解又は分散された被検対象のタンパクを供給してその表面に該タンパクを吸着させる工程、
得られたフィルタに、前記タンパクに結合するハプテンを含有する溶液を供給することにより、前記フィルタに吸着されたタンパクにハプテンを結合させるとともに未反応のハプテンを前記タンパク周辺部から除去する工程、
得られたフィルタに、前記タンパクに結合したハプテンに対して選択的に結合する発色物質で標識された抗体を含有する溶液を供給することにより、前記ハプテンに抗体を結合させるとともに未反応の抗体を前記タンパク周辺部から除去する工程、
得られたフィルタの色調及び／又は着色面積によって視覚的にタンパクの検出及び／又は定量を行うことを特徴とする。
【発明の効果】
【０００９】
本発明によれば、タンパク吸着フィルタと、ハプテン収容部と、抗体収容部とを備え、タンパク吸着フィルタが、ハプテン収容部内のハプテンと接触することによりその表面で、予め吸着したタンパクにハプテンを結合させるか、あるいはハプテン結合タンパクを吸着し、さらに前記抗体収容部内の抗体と接触することによりタンパクの検出及び／又は定量を視覚的に行い得る膜からなるため、微量のサンプルを用いるのみで、その中に含有される微量のタンパクを、高価な測定装置や設備を用いることなく、簡易、簡便かつ高感度で測定することが可能となる。
【００１０】
特に、ハプテンがジニトロベンゼンスルホン酸である場合及び／又は標識抗体が、金コロイド、セレン、着色ラテックス及び酵素からなる群から選択される１以上の物質によって標識化された抗体である場合には、ハプテン及び標識抗体が安価に入手することができながら、感度よくタンパクを測定することができる。
【００１１】
また、ハプテン収容部に、ハプテンとともにタンパクが収容されてなる場合には、タンパクを予めフィルタに吸着させるための部材を必要とせず、より簡易なタンパク測定器具を提供することができる。
【００１２】
さらに、ハプテン収容部が、少なくとも底面にハプテン含有溶液を通過させ得る微細な孔を有する膜を備えており、溶液状のハプテンを収容するか又は乾燥状態のハプテンを収容し測定時に溶媒を前記ハプテン収容部に添加して溶液状のハプテンを供給し得るように構成され、抗体収容部が、少なくとも底面に抗体含有溶液を通過させ得る微細な孔を有する膜を備えており、溶液状の抗体を収容するか又は乾燥状態の抗体を収容し測定時に溶媒を前記抗体収容部に添加して溶液状の抗体を供給し得るように構成されてなる場合には、ハプテン及び標識抗体の形態を問わず、それらの供給をより簡便に行うことができ、タンパク測定器具としてより簡易な構成とすることができる。
【００１３】
また、フィルタが第１プレートに形成された孔に装着され、ハプテン収容部及び抗体収容部が第２プレートに形成された別個の孔にそれぞれ形成され、前記第１プレートのフィルタに、前記第２プレートのハプテン収容部及び抗体収容部から溶液の供給が順次可能となるように構成されている場合には、２枚のプレートにタンパク測定を実現し得る必要な試薬等を収容させることができ、タンパク測定器具として小型で、持ち運びが容易で、場所及び時を選ばずに、簡便にタンパク測定を行うことができる測定器具を提供することが可能となる。
【００１４】
さらに、第２プレートに、被検対象であるタンパクの溶液を供給するためのタンパク収容部が形成されてなる場合には、簡単に集めることができる掃除機のゴミや、エアコン等のフィルタの付着物からサンプルを採取することができ、その測定対象の形態を問わずに簡便なタンパク測定を実現することができる。
【００１５】
特に、ハプテン収容部及び抗体収容部からの溶液を、フィルタを介して吸収するための吸水パッドがさらに備えられて構成される場合には、吸水パッドをハプテン収容部又は抗体収容部における溶液と接触させる時間を調整することにより、タンパクの種類に応じて、タンパクとハプテン又は抗体との反応時間を調節することが可能となり、より精度の高いタンパク測定を可能とすることができる。
【００１６】
また、フィルタが短冊形状であり、かつ、ハプテン収容部に収容されたハプテン含有溶液とともにタンパクを含有する被検溶液の全量を吸収し得る大きさに形成されてなる場合には、従来問題となっていた、未反応のハプテンを、測定対象であるタンパクが吸着した周辺から除去することが可能となり、感度及び精度の高いタンパク測定を実現可能とする。
【００１７】
さらに、本発明によれば、フィルタにタンパクを吸着させる工程、タンパクにハプテンを結合させるとともに未反応のハプテンをタンパク周辺部から除去する工程、タンパクに結合したハプテンに対して抗体を結合させるとともに未反応の抗体をタンパク周辺部から除去する工程、得られたフィルタの色調及び／又は着色面積によって視覚的にタンパクの検出及び／又は定量を行う工程からなるタンパク測定方法であるため、上記のようなタンパク測定装置を利用することができ、より簡便、容易かつ精度よくタンパクを測定することが可能となる。
【発明を実施するための最良の形態】
【００１８】
本発明のタンパク測定器具は、少なくとも、被検対象であるタンパクを吸着し得るフィルタと、このタンパクに反応するハプテンが供給されるハプテン収容部と、このタンパクに結合したハプテンに対して選択的に結合する発色物質で標識された抗体が供給される抗体収容部とを備えて構成される。
【００１９】
タンパクを吸着し得るフィルタとしては、被検対象であるタンパクを吸着できるものであり、予めタンパクを吸着させておき、その後、後に詳しく説明するハプテン収容部内のハプテンと接触させることにより、その表面で、タンパクにハプテンを結合させることができ、さらに、後に詳しく説明する抗体収容部内の抗体と接触させることにより、視覚的に、タンパクの検出及び／又は定量を行い得る膜からなる。あるいは、ハプテン収容部内にハプテンとともに被検対象であるタンパクを溶液に溶解又は分散した形態で存在させ、フィルタが、この溶液と接触することにより、その表面でハプテン結合タンパクを吸着させることができるとともに、上述したように、抗体収容部内の抗体含有溶液と接触することにより、視覚的に、タンパクの検出及び／又は定量を行い得る膜からなる。
なお、ハプテン収容部及び抗体収容部には、固体状のハプテン及び／又は抗体が収容されていてもよいし、溶液状のハプテン及び／又は抗体が収容されていてもよい。これらがタンパク又はハプテン結合タンパク等に接触する場合には、固体状であっても溶液状であってもよい。反応性を考慮すると、接触は溶液状であることが好ましい。また、被検対象であるタンパクは、溶液に溶解又は分散した形態で供給されることが好ましい。
【００２０】
タンパクを吸着し得るフィルタは、そのような機能を有する公知の材料のいずれをも用いることができる。例えば、ポリビニリデンジフルオライド（ＰＶＤＦ）、ナイロン６６、ニトロセルロース、ポリエーテルスルホン、再生セルロース等が挙げられる。このフィルタは、後述するハプテンや抗体等をタンパクに反応させる際に、タンパク等に結合されない未反応のハプテンや抗体等を吸着しないもの、例えば、未反応のハプテンや抗体分子よりも大きな孔又は隙間（微細孔：例えば、直径０．１〜１．０μｍ程度）を有しているもの等が好ましい。これにより、未反応のハプテンや抗体等を、フィルタに吸着したタンパク周辺部から、例えば、分子量の差異又は分子の篩作用等により、容易かつ確実に除去することができ、タンパクの視覚的な測定妨害を抑え、精度よくタンパクを検出及び／又は定量することが可能となる。あるいは、未反応のハプテン及び／又は未反応の抗体を、それらを含む溶液の溶媒によって押し上げ、フィルタに吸着されたタンパク周辺部から押し退けられるような機能を有していてもよい。
【００２１】
また、フィルタは、最終的に視覚的にタンパクの検出及び／又は定量ができるように、適切な大きさで使用することが必要である。つまり、被検対象であるタンパク量に対して相当大きいものであれば、色調が分散して判定しにくくなり、相当小さいものであれば、被検対象であるタンパクの全てを吸着しきれず、正確なタンパクの測定ができなくなる。
【００２２】
なお、被検対象となるタンパクとしては、通常、生物由来の成分であり、細菌、カビ、ウィルス、原虫、ダニ、哺乳動物の細胞又は組織、植物等を起源とするものが挙げられる。これらのタンパクは、例えば、掃除機で集められたゴミ、浄水器、空気清浄機又はエアコンのフィルタ等の付着物から取り出すことができる。このようなゴミや付着物を用いる場合には、例えば、ゴミ、付着物の０．５ｍｇ〜１ｇ程度の量を用いることが適当である。タンパクは、本発明の測定器具に適用する際、つまり、フィルタにタンパクを吸着させる際に、溶媒（例えば、水、生理食塩水、各種緩衝液等）中に溶解又は分散した溶液状態であることが好ましい。このように溶液状態である場合には、フィルタに容易にタンパクを吸着させることができる。したがって、上述したゴミや付着物を用いる場合には、ゴミや付着物の適当量を溶媒中に投入し、攪拌、任意にろ過することにより、溶液状で供給することができる。この際の溶媒量は特に限定されるものではないが、例えば、ゴミや付着物の１０〜１０００重量倍の量、あるいは別の観点から１μｌ〜１００μｌ程度が適当である。
【００２３】
また、タンパクの溶液は必ずしも被検対象であるタンパクのみが含有しているものでなくてもよく、後述するハプテンをも含有しており、この溶液中で被検対象であるタンパクとハプテンとを反応させ、その反応物を含有する溶液をフィルタに供給して吸着させてもよい。つまり、フィルタに、溶液に溶解又は分散された被検対象のタンパクを供給してその表面にタンパクを吸着させると同時に、その溶液内で、タンパクにハプテンを結合させてもよいし、フィルタ上で、吸着したタンパクにハプテンを結合させてもよい。
【００２４】
ハプテン収容部は、溶液状、乾燥状態等、種々の形態のハプテンを収容することができるものであれば特に限定されない。例えば、容器状のものでもよいし、底面にハプテンを含有する溶液が徐々に通過し得る膜が備えられた容器であってもよい。例えば、ハプテン収容部の全体がプラスチック、硝子、金属、セラミック等により形成されていてもよいし、ハプテン収容部の側面がプラスチック、硝子、金属、セラミック等により形成され、その底面のみがナイロンメッシュのような織布等のような膜により形成されていてもよいし、後述するように、不織布、ろ紙、フィルタ、その他の担体等の積層体等が底面のないハプテン収容部に収められることにより、実質的に底面が上述のような膜により形成されているものであってもよい。ハプテン収容部の容積は特に限定されるものではなく、被検対象であるタンパク量、用いるハプテンの種類・量、ハプテン水溶液の濃度等により適宜調整することができ、例えば、０．０１ｍｌ〜１ｍｌ程度が適当である。なお、ハプテン収容部は、後に詳しく述べる抗体収容部と、別個の容器によって形成されていてもよいし、ウェルプレートのような１つの基体に形成されていてもよい。
【００２５】
ハプテンとしては、被検対象であるタンパク、つまり、上述したような生物由来のタンパクに対して反応し得るものであれば特に限定されず、例えば、ジニトロベンゼン、ニジトロフェノール（ＤＮＰ）、トリニトロフェノール（ＴＮＰ）、ジニトロベンゼンスルホン酸、ジニトロフルオロベンゼン、ジニトロクロロベンゼン、オキサゾロン（４−エトキシメチレン−２−フェニル−２−オキサゾリン−５−オン）、ベンジルペニシリン（ＢＰＯ−）Ｋ、クーマシー・ブリリアント・ブルー（ＣＢＢ）、絹、羊毛等の動物素材の染色剤（染料・顔料）等が挙げられる。なかでも、ジニトロベンゼンスルホン酸が好ましい。
【００２６】
ハプテンを含有する溶液は、例えば、水、生理食塩水、各種緩衝液（燐酸緩衝液、トリス緩衝液等）、水溶性有機溶媒（メタノール、エタノール、エーテル等）等の溶媒を用いて調製することができる。ハプテンの濃度は特に限定されるものではなく、被検対象であるタンパクの予想される量、用いるハプテンの種類、フィルタの大きさ等を考慮して適宜設定することができる。例えば、１０ｍｇ／ｍｌ〜飽和量程度が挙げられる。
【００２７】
ハプテンが乾燥状態でハプテン収容部に収容されている場合には、例えば、ハプテン自体の乾燥品又はハプテン溶液を不織布、フィルタ、ろ紙、担体（活性炭、アルミナ、シリカゲル、軽石等）等に含浸又は担持させて乾燥したものを用いることができる。このような乾燥状態のハプテンは、測定時に上述した溶媒を適当量ハプテン収容部に添加することにより、ハプテン含有溶液をフィルタに供給することができる。なお、乾燥状態のハプテンを用いる場合には、それを担持する不織布等を、ハプテン収容部の底面における膜として機能させることができる。
【００２８】
抗体収容部は、ハプテン収容部と同様に、溶液状、乾燥状態等の種々の形態の抗体を収容することができるものであれば特に限定されず、容器状のものでもよいし、底面に抗体含有溶液が徐々に通過し得る膜が備えられた容器であってもよい。具体的には、ハプテン収容部で説明したものと同様のものが挙げられる。
抗体は、タンパクに結合したハプテンに対して選択的に結合する発色物質で標識されたものであり、具体的には、金コロイド、セレン、着色ラテックス、酵素等の発色物質の１種又は２種以上を組み合わせて標識された市販の抗体が挙げられる。市販の抗体としては、例えば、ウサギ抗−ＤＮＰ（バイオジェネシス社）、ラット抗−ＴＮＰ（エル・エス・エル社）等が挙げられる。抗体は、例えば、Makela, O. and Seppala (1986) In Weir, D.M. (ed), Handbook of Experimental Immunology, Col. 1. Blackwell Scientific Publications, Oxford, 4th edition, p. 3.1.等に記載されている公知の方法により標識抗体として容易に調整することができし、市販されている標識抗体を用いてもよい。
【００２９】
抗体を含有する溶液は、例えば、水、生理食塩水、各種緩衝液等の溶媒を用いて調製することができる。抗体の濃度は特に限定されるものではなく、被検対象であるタンパクの予想される量、用いるハプテンの種類、フィルタの大きさ、抗体及び標識物質の種類及び量等を考慮して適宜設定することができる。例えば、０．１μｇ／ｍｌ〜１０００μｇ／ｍｌ程度、好ましくは、０．１μｇ／ｍｌ〜１００μｇ／ｍｌ程度が挙げられる。
【００３０】
なお、抗体が乾燥状態で抗体収容部に収容されている場合には、ハプテン収容部での形態と同様のものを用いることができ、測定時に上述した溶媒を適当量抗体収容部に添加することにより、抗体含有溶液をフィルタに供給することができる。
【００３１】
以下に、本発明のタンパク測定器具及びタンパク測定方法の実施例を、図面に基づいて具体的に説明する。
【実施例１】
【００３２】
この実施の形態のタンパク測定器具は、例えば、図１（ａ）及び（ｂ）に示すように、主として、第１プレート１と第２プレート２とから構成されている。
第１プレート１は、例えばプラスチック板によって形成されており、その一部の領域に貫通孔が形成されている。この貫通孔は、例えば、５ｍｍ程度である。貫通孔には、この孔を完全に塞ぐようにフィルタ３が装着されている。フィルタ３は、例えば、厚さ１５０ミクロン程度のニトロセルロース膜（孔径０．４５ミクロン）によって形成されている。
【００３３】
第２プレート２は、第１プレート１と同様に、例えば、厚さ０．５ｍｍ程度のプラスチック板によって形成されており、その一部の領域に、独立して少なくとも２つ、例えば４つの貫通孔が形成されている。この貫通孔はプレート内のいずれかの領域に直線状、ランダム状等、どのように配置されていてもよい。例えば、直線状に形成されていることが適当である。貫通孔の大きさは、第１プレート１に形成された孔と同じか、小さめであることが適当である。この貫通孔のうち、２つの貫通孔には、それぞれハプテン６、標識抗体７が担持された不織布が貫通孔を塞ぐように装着されて、ハプテン収容部４、抗体収容部５を構成している。ここで、ハプテン６としてジニトロベンゼンスルホン酸を担持する不織布がハプテン収容部４に装着され、標識抗体７として、４０ｎｍ金コロイドが標識されたうさぎ抗−ＤＮＰ（ＩｇＧ）を担持する不織布が抗体収容部５に装着されている。
【００３４】
また、もう１つの貫通孔は、タンパクが含有された被検溶液を供給するためのタンパク収容部８として構成されており、例えば、掃除機の綿ゴミ９やエアコン等のフィルタの付着物等を載置でき、水を通過させることができる膜が装着されている。さらにもう１つの貫通孔はフィルタの目視孔１０である。なお、これらタンパク収容部８及び目視孔１０は任意である。
このような第１及び第２プレート１、２は、図２に示すように、隣接又は密着して、フィルタ３が、矢印Ａの方向に、タンパク収容部８、ハプテン収容部４、抗体収容部５及び目視孔１０を順次通過でき、フィルタ３へのタンパクの吸着、ハプテン含有溶液及び抗体含有溶液の供給が可能となるように構成されている。
【００３５】
また、このタンパク測定器具には、図１（ｂ）に示すように、さらに、ハプテン収容部４及び抗体収容部５からの溶液を、フィルタ３を介して吸収するための吸水パッド１１が備えられて構成される。吸水パッド１１は、水分を十分に吸収し得る材料及び厚さであることが好ましく、例えば、ポリビニルアルコール（ＰＶＡ）、脱脂綿、ガラスフィルター、ろ紙等の材料によって、膜厚０．５〜３ｍｍ程度で形成することができる。
【００３６】
このように構成されるタンパク測定器具を用いてタンパクを検出及び定量した。
まず、第１プレートのフィルタ３を、第２プレートのタンパク収容部８の直下に配置させる。第２プレート２のタンパク収容部８に、綿ゴミ９として、それぞれウシ血清アルブミンを０μｇ、０．１μｇ、１μｇ、２．５μｇ、５μｇ、１０μｇ含有する糸くずを載置し、ＰＢＳ１００μｌを糸くずに滴下して、フィルタ３にそれぞれタンパクを吸着させる。なお、フィルタ３を通過する余分なＰＢＳは、その直下に位置する吸水パッド１１によって吸収させることができる。
【００３７】
次いで、フィルタ３を、予めハプテン６としてジニトロフェノールを担持した不織布を収容したハプテン収容部４の直下に配置させる。ハプテン収容部４にＰＢＳ１００μｌを滴下し、フィルタ３に吸着したタンパクにハプテン含有溶液を供給し、反応させる。ここでのハプテン含有溶液は、ハプテン濃度が飽和濃度となるように、供給するＰＢＳ量に応じて、不織布に担持させるハプテン量を調整した。反応条件は特に限定されないが、例えば、大気圧下、１０〜１００℃程度、さらに室温〜３７℃程度が好ましい。反応時間は、例えば、１〜１０分間程度が適当である。ここで、反応時間のコントロールは、吸水パッド１１を利用して行うことができる。つまり、ハプテン収容部４から供給されたハプテン含有溶液は、フィルタ３上にとどまり、フィルタ３に吸着したタンパクと反応する。余剰の溶液及び未反応のハプテン６は徐々にフィルタ３を通過して除去されるが、その速度が遅い。したがって、フィルタ３上にハプテン含有溶液がとどまっている間じゅう、タンパクとの反応が行われる。そして、一定時間経過後に、フィルタ３に吸水パッド１１を接触させると、吸水パッド１１の吸水力によって、フィルタ３上にとどまっている余剰の溶液及び未反応のハプテン６が急速に吸水パッドに吸収される。このようにして、ハプテン６含有溶液のフィルタ３の通過速度を調整することにより、結果的にタンパクとハプテンとの反応時間をコントロールすることができる。
【００３８】
続いて、フィルタ３を、予め標識抗体７としてうさぎ抗−ＤＮＰ（ＩｇＧ）を担持した不織布を収容した抗体収容部５の直下に配置させる。抗体収容部５にＰＢＳ１００μｌを滴下し、フィルタ３に吸着したタンパク結合ハプテンに、抗体含有溶液を供給し、反応させる。ここでの抗体含有溶液は、抗体濃度が０．５μｇ／ｍｌ程度となるように、供給するＰＢＳ量に応じて、不織布に担持させる抗体量を調整した。反応条件は、上述したのと同様の条件が挙げられ、同様に、反応時間をコントロールできる。
【００３９】
最後に、フィルタ３を、目視孔１０の直下に配置させ、この目視孔１０を通して、フィルタ３の色調を観察する。これにより、例えば、予め既知の濃度で着色させたフィルタの色調と比較するなどして、タンパクの有無あるいはおおよそのタンパク量を定量することができる。
上記のようにタンパクを測定することにより、０μｇ、０．１μｇ、１μｇ、２．５μｇ、５μｇ、１０μｇのタンパク量を、その色の濃淡によって、黙示的に定量することができた。
【実施例２】
【００４０】
この実施の形態のタンパク測定器具は、例えば、図３（ａ）及び（ｂ）に示すように、主として、フィルタ１３と、ハプテン収容部１４と、抗体収容部１５とから構成されている。
フィルタ１３は、例えば、ニトロセルロースによって１００ｍｍ×５ｍｍの短冊状で形成されている。ただし、フィルタ１３の形状は特に限定されるものではなく、正方形、長方形、平行四辺形、台形、多角形、円、だ円等の種々の形状であってもよく、細長い形状であれば、着色長さによってタンパク量を判定しやすいため好ましい。
ハプテン収容部１４には、ハプテン１６としてＤＮＰが含まれたハプテン含有溶液１６ａが５０μｌ収容されており、このハプテン含有溶液１６ａには、ＤＮＰとともにタンパクが含有されている。
【００４１】
抗体収容部１５には、標識抗体１７として、１０％金コロイドが標識されたうさぎ抗−ＤＮＰ（ＩｇＧ）を含有する抗体含有溶液１７ａが収容されている。
【００４２】
このように構成されるタンパク測定器具を用いてタンパクを検出及び定量した。
まず、ハプテン収容部１４に、タンパク９ａ結合ハプテン１６として、ＮＤＰ−ウシ血清アルブミン０μｇ／ｍｌ、１０００μｇ／ｍｌ、１００μｇ／ｍｌ、１０μｇ／ｍｌ、１μｇ／ｍｌを含有するハプテン含有溶液１６ａを５０μｌ含有させ、フィルタ１３の先端部をそのハプテン含有溶液１６ａに浸漬する。ハプテン収容部１４内の全ハプテン含有溶液１６ａが展開するまで放置する。その後、任意に風乾する。
次いで、抗体収容部１５に、標識抗体１７として、うさぎ抗−ＤＮＰ（ＩｇＧ）を０．５μｇ／ｍｌ含有する抗体含有溶液１７ａを５０μｌ含有させ、得られたフィルタ１３の先端部をその抗体含有溶液１７ａに浸漬する。例えば、浸漬時間を３０分、６０分、９０分と変更した。
【００４３】
上記のようにタンパクを測定することにより、浸漬時間を９０分、６０分、３０分と短くすることによりフィルタにおける着色が淡くなるが、いずれの浸漬時間においても、１０μｇ、５μｇ、２．５μｇ、１．０μｇ、１００ｎｇのタンパク量を、その着色面積によって、黙示的に定量することができた。
【産業上の利用可能性】
【００４４】
本発明の活用例として、空気中等のアレルギー、喘息等の原因物質になる汚染原を検出することができるなど、幅広い用途に利用することができる。
【図面の簡単な説明】
【００４５】
【図１】本発明のタンパク測定器具の一実施形態を示す概略平面図及び断面図である。
【図２】図１の使用時の形態を説明するための概略平面図である。
【図３】本発明のタンパク測定器具の別の実施形態を示す概略断面図である。
【符号の説明】
【００４６】
１  第１プレート
２  第２プレート
３、１３  フィルタ
４、１４  ハプテン収容部
５、１５  抗体収容部
６、１６  ハプテン
７、１７  標識抗体
８  タンパク収容部
９ａ  タンパク
９  綿ゴミ
１０  目視孔
１１  吸水パッド
１６ａ   ハプテン含有溶液
１７ａ  抗体含有溶液
【図１】
2005030939.tif 000003
【図２】
2005030939.tif 000004
【図３】
2005030939.tif 000005